(57)【特許請求の範囲】
【請求項１】
複数組の対となった外側固定接点と内側固定接点が内底面に露出するようにインサート成形され、上記各外側固定接点と上記各内側固定接点の間に複数個の切欠部を有した細巾の略円形の突出部が設けられ、上記各固定接点と導通した接続用端子が外方に導出された絶縁樹脂製の上面開放のスイッチケースと、このスイッチケースの上記各外側固定接点上に載せられて上記スイッチケースの外周壁内周と上記略円形の突出部外側面の間で位置決めされた固定部およびこの固定部から上記略円形の突出部の上記各切欠部を通って上記各内側固定接点の上方に延びた弾性接点アームからなる弾性金属薄板製の複数個の可動接点と、上記スイッチケースの外周壁内周と上記略円形の突出部外側面の間で位置決めされると共に上記各可動接点の固定部上に厚肉の外周部下面が載り、薄肉円錐形部で結ばれた厚肉の中央頂部の下面が上記各内側固定接点および上記各可動接点の弾性接点アームの上方に位置するように配され、上記中央頂部の上部が押圧用突部となった弾性絶縁材料製のドーム形状のばね体と、上記スイッチケースの開口部を塞ぐと共に、外周下面が上記ドーム形状のばね体の外周部上面を押さえ付けるように上記スイッチケースの外周上部に固定され、中央に上記ドーム形状のばね体の中央頂部上部の押圧用突起が上下動可能に貫通する孔を有する蓋板とからなるプッシュオンスイッチ。
【請求項２】
蓋板を下面開放で上面中央に貫通孔を有するキャップ形状とし、上面中央の突部が上記蓋板の貫通孔から上方に突出し、上記蓋板の周囲壁内周で外周を上下動可能に保持された剛性材料製の押ボタンを、スイッチケース内のドーム形状のばね体の中央頂部の上面に載置した請求項１記載のプッシュオンスイッチ。
【請求項３】
スイッチケース内底部の中央から上方に延びた柱状部を一体に設け、ドーム形状のばね体の中央頂部にこの柱状部が僅かな隙間を空けて貫通する孔を設けると共に、押ボタンの下面にも上記柱状部の先端が僅かな隙間を空けて挿入される孔を設けたものである請求項２記載のプッシュオンスイッチ。
【請求項４】
複数個の可動接点が所定の位置関係に配列され、各固定部の下面が露出するように平板状の絶縁材料で上記各固定部を連結させた請求項１記載のプッシュオンスイッチ。
【発明の詳細な説明】
【０００１】
【発明の属する技術分野】
本発明は、主として電話機、ファックス等の各種電子機器の入力ボタンに使用される独立した複数の回路を有するプッシュオンスイッチに関するものである。
【０００２】
【従来の技術】
従来のこの種のプッシュオンスイッチとしては、実開昭６０−１１２０１９号公報「独立２回路押釦スイッチ」に記載されたものが知られている。
【０００３】
その概略の構成は、図１６の正面断面図および図１７の分解斜視図に示すように、絶縁樹脂製の上面開放のケース１の上部に蓋板２により保持された押ボタン３とケース１の底部１Ａに設けた第１、第２固定接点４Ａ，４Ｂの間に、ドーム状の板ばね５、フレキシブルな絶縁板６およびその下面に貼着された第１、第２可動接点７Ａ，７Ｂを上記押ボタン３側から順に配設した構成とし、押ボタン３を上記底部１Ａ側に押圧変位させて、押ボタン３で板ばね５を底部１Ａ側に押圧変形させることにより、この板ばね５下面の押圧突部５Ａ，５Ｂで絶縁板６を底部１Ａ側に弾性変形させて、絶縁板６下面の第１、第２可動接点７Ａ，７Ｂをほぼ同時に上記第１、第２固定接点４Ａ，４Ｂにそれぞれ接触させるようにしたものであった。
【０００４】
【発明が解決しようとする課題】
しかしながら上記従来のプッシュオンスイッチにおいては、接点部が複雑な形状で構成部品数が多く、しかもフレキシブルな絶縁基板の下面に二つの可動接点を貼り付けておく必要がある等組立工数もかかるため、コスト高であるという課題があった。
【０００５】
本発明は、このような従来の課題を解決するものであり、簡単な構造で構成部品が少なく組立工数もかからないため安価で、安定した特性を備えた複数の回路を有するプッシュオンスイッチを提供することを目的とする。
【０００６】
【課題を解決するための手段】
上記課題を解決するために本発明のプッシュオンスイッチは、複数組の対となった外側固定接点と内側固定接点が内底面に露出するようにインサート成形され、各外側固定接点と各内側固定接点の間に複数個の切欠部を有した細巾の略円形の突出部が設けられたスイッチケース内に、各組の各外側固定接点上に載せられ、スイッチケースの外周壁内周と略円形の突出部外側面の間で位置決めされた固定部およびこれから延びた弾性接点アームが略円形の突出部の各切欠部を通って各内側固定接点の上方に位置するように各可動接点を配設し、弾性絶縁材料製のドーム形状のばね体のスイッチケースの外周壁内周と上記略円形の突出部外側面の間で位置決めされた外周部で各可動接点の固定部を押え付けておき、ばね体の中央頂部の上面の押圧用突部を押すことによってその下面が各弾性接点アームを押して複数組の対となった固定接点間をスイッチ動作させるものである。
【０００７】
これにより、簡単な構造で構成部品が少なく組立工数もかからないため、安価な複数の回路を有するプッシュオンスイッチを実現することができる。
【０００８】
【発明の実施の形態】
本発明の請求項１に記載の発明は、複数組の対となった外側固定接点と内側固定接点が内底面に露出するようにインサート成形され、上記各外側固定接点と上記各内側固定接点の間に複数個の切欠部を有した細巾の略円形の突出部が設けられ、上記各固定接点と導通した接続用端子が外方に導出された絶縁樹脂製の上面開放のスイッチケースと、このスイッチケースの上記各外側固定接点上に載せられて上記スイッチケースの外周壁内周と上記略円形の突出部外側面の間で位置決めされた固定部およびこの固定部から上記略円形の突出部の上記各切欠部を通って上記各内側固定接点の上方に延びた弾性接点アームからなる弾性金属薄板製の複数個の可動接点と、上記スイッチケースの外周壁内周と上記略円形の突出部外側面の間で位置決めされると共に上記各可動接点の固定部上に厚肉の外周部下面が載り、薄肉円錐形部で結ばれた厚肉の中央頂部の下面が上記各内側固定接点および上記各可動接点の弾性接点アームの上方に位置するように配され、上記中央頂部の上部が押圧用突部となった弾性絶縁材料製のドーム形状のばね体と、上記スイッチケースの開口部を塞ぐと共に、外周下面が上記ドーム形状のばね体の外周部上面を押さえ付けるように上記スイッチケースの外周上部に固定され、中央に上記ドーム形状のばね体の中央頂部上部の押圧用突起が上下動可能に貫通する孔を有する蓋板とからなるプッシュオンスイッチとしたものであり、スイッチケースの外周壁内周と略円形の突出部外側面の間で、可動接点の固定部およびその固定部を押さえ付けるドーム状のばね体を正確に位置決めすることができ、簡単な構造で構成部品が少なく組立工数もかからないため安価で、安定した特性を備えた複数の回路を有するプッシュオンスイッチを実現することができるという作用を有する。
【００１０】
請求項２に記載の発明は、請求項１記載の発明において、蓋板を下面開放で上面中央に貫通孔を有するキャップ形状とし、上面中央の突部が上記蓋板の貫通孔から上方に突出し、上記蓋板の周囲壁内周で外周を上下動可能に保持された剛性材料製の押ボタンを、スイッチケース内のドーム形状のばね体の中央頂部の上面に載置したものであり、蓋板にガイドされて上下動する押ボタンを介してドーム形状のばね体の中央頂部を押してスイッチ動作させるため、ドーム形状のばね体を傾きなく圧縮変形させることができ、複数のスイッチ回路をほぼ同時にオンさせることができるという作用を有する。
【００１３】
請求項３に記載の発明は、請求項２記載の発明において、スイッチケース内底部の中央から上方に延びた柱状部を一体に設け、ドーム形状のばね体の中央頂部にこの柱状部が僅かな隙間を空けて貫通する孔を設けると共に、押ボタンの下面にも上記柱状部の先端が僅かな隙間を空けて挿入される孔を設けたものであり、押ボタンを押してスイッチ動作させる際に、スイッチケース内底面から一体に設けた柱状部により、ドーム形状のばね体および押ボタンが傾きなく垂直に上下動するようにガイドされるので、安定したスイッチ動作で、複数のスイッチ回路をより確実に同時にオンさせることができると共に、本スイッチを組み立てる際、二つの可動接点を内底面に載置したスイッチケース上に、柱状部をガイドとしてドーム形状のばね体および押ボタンを載せ、その上から蓋板を被せて組み立てることができるので、効率のよい組立作業をすることができるという作用を有する。
【００１４】
請求項４に記載の発明は、請求項１記載の発明において、複数個の可動接点が所定の位置関係に配列され、各固定部の下面が露出するように平板状の絶縁材料で上記各固定部を連結させたものであり、本プッシュオンスイッチの組立工程において、複数個の可動接点を容易に確実に、スイッチケース内底面の複数組の固定接点上の所定の位置に挿入配置することができるという作用を有する。
【００１５】
以下、本発明の実施の形態について、図面に基づいて説明する。
（実施の形態１）
図１は本発明の第１の実施の形態による２回路のプッシュオンスイッチの正面断面図、図２は同分解斜視図であり、同図において、１１は絶縁樹脂製の上面開放のスイッチケースで、その内底面には、外周壁１１Ａ内周とほぼ一定の間隔を空けて設けられた細巾の略円形の突出部１１Ｂを挟んで、それぞれ対となった外側固定接点１２Ａと内側固定接点１２Ｂおよび外側固定接点１３Ａと内側固定接点１３Ｂの２組の固定接点がインサート成形され、各固定接点と導通した接続用端子１２Ｃと１２Ｄおよび１３Ｃと１３Ｄがそれぞれ外周壁１１Ａから外方に突出して所定の形状にフォーミングされていると共に、外側固定接点１２Ａおよび１３Ａ上には、図３のスイッチケースの上面図に示すように、それぞれ弾性金属薄板からなる可動接点１４および１５の固定部１４Ａおよび１５Ａが上記の外周壁１１Ａの内周と略円形の突出部１１Ｂの間で位置決めされて載せられ、この固定部１４Ａおよび１５Ａから略円形の突出部１１Ｂに設けた二ヶ所の切欠部１１Ｃを通って各内側固定接点１２Ｂおよび１３Ｂの上方に向けて弾性接点アーム１４Ｂおよび１５Ｂが延びている。
【００１６】
１６は弾性絶縁材料からなるドーム形状のばね体で、その外周部１６Ａの下面が、上記スイッチケース１１の外周壁１１Ａの内周と略円形の突出部１１Ｂの間で位置決めされて、可動接点１４および１５の固定部１４Ａおよび１５Ａの上部に載せられていると共に、その薄肉円錐形状のドーム部１６Ｂで結ばれた厚肉の中央頂部１６Ｃの下面が、各内側固定接点１２Ｂおよび１３Ｂの上方すなわち各可動接点１４および１５の弾性接点アーム１４Ｂおよび１５Ｂの上方に所定の間隔を空けて配され、その上部が押圧用突部１６Ｄとして上方に突出している。
【００１７】
そして、１７はスイッチケース１１の上面開口部を塞ぐように配された蓋板で、その外周部下面１７Ａが上記ドーム形状のばね体１６の外周部１６Ａの上面を押さえつけるように、スイッチケース１１の外周壁１１Ａの上面にダボ部１１Ｄをカシメることによって固定されており、これによって、その下方の可動接点１４および１５の固定部１４Ａおよび１５Ａはそれぞれ外側固定接点１２Ａおよび１３Ａに確実に接触している。
【００１８】
そして、蓋板１７の上面中央の円形孔１７Ｂを上下動可能に貫通して、上記ドーム形状のばね体１６の中央頂部１６Ｃ上部の押圧用突部１６Ｄが上方に突出している。
【００１９】
本実施の形態によるプッシュオンスイッチは以上のように構成されるものであり、このプッシュオンスイッチの動作は、図４の使用状態の正面断面図に示すように、使用機器の配線基板１８に装着された状態において、使用機器の操作ボタン１９を介して、蓋板１７の上面中央の円形孔１７Ｂから上方に突出したドーム形状のばね体１６の押圧用突部１６Ｄを下方に押すことによって、ばね体１６の薄肉円錐形状のドーム部１６Ｂが節度感を伴いながら弾性変形し、その中央頂部１６Ｃ下面が２つの弾性接点アーム１４Ｂおよび１５Ｂを下方に押して、それぞれ内側固定接点１２Ｂおよび１３Ｂに接触させ、それぞれ対となった固定接点１２Ａと１２Ｂの間および１３Ａと１３Ｂの間すなわち二組の接続用端子１２Ｃと１２Ｄの間および１３Ｃと１３Ｄの間をほぼ同時に接続させるものである。
【００２０】
この後、操作ボタン１９を介してドーム形状のばね体１６の押圧用突部１６Ｄに加えていた押し力を除くと、弾性絶縁材料からなるばね体１６のドーム部１６Ｂの弾性復元力によって元の図１の状態に復帰し、二組の固定接点１２Ａと１２Ｂの間および１３Ａと１３Ｂの間すなわち接続用端子１２Ｃと１２Ｄの間および１３Ｃと１３Ｄの間は再びオープン状態となる。
【００２１】
以上のように本実施の形態によれば、簡単な構造で構成部品が少なく組立工数もかからないため安価で、しかも安定した特性を有する２回路のプッシュオンスイッチを実現できるものである。
【００２２】
（実施の形態２）
図５は本発明の第２の実施の形態による２回路のプッシュオンスイッチの正面断面図、図６は同分解斜視図であり、上記実施の形態１によるものに対して、スイッチケース１１の内底面に装着されたドーム形状のばね体２０の中央頂部２０Ａ上端の押圧面２０Ｂの上に、フランジ部２１Ａ付きの押ボタン２１が載せられている点が異なっている。
【００２３】
この押ボタン２１は、剛性材料からなり、その中央の円柱状部２１Ｂ下面の平板部２１Ｃが弾性絶縁材料製のドーム形状のばね体２０の中央頂部２０Ａ上端の平板状の押圧面２０Ｂの上に載り、円柱状部２１Ｂの上部がスイッチケース１１の上面開口部を塞ぐ蓋板１７の中央の円形孔１７Ｂに少しの隙間を空けて貫通して上方に突出した部分が押圧用突部２１Ｄを構成し、さらに円柱状部２１Ｂ下端の円形のフランジ部２１Ａが蓋板１７の裏面に当接して押ボタン２１の上方への抜け止め部となると共に、その外周が蓋板１７下部の周囲壁１７Ｃの内周に少しの隙間を空けて嵌合保持されている。
【００２４】
したがって、本実施の形態によるプッシュオンスイッチの動作は、図７の使用状態の正面断面図に示すように、使用機器の配線基板１８に装着された状態において、使用機器の操作ボタン１９を介して押ボタン２１の押圧用突部２１Ｄの上面を下方に押すと、その下面の平板部２１Ｃに接したドーム形状のばね体２０の中央頂部２０Ａ上端の押圧面２０Ｂが下方に押されて、その薄肉円錐形状のドーム部２０Ｃが節度感を伴いながら弾性変形し、その中央頂部２０Ａ下面が二つの弾性接点アーム１４Ｂおよび１５Ｂを下方に押して、それぞれ内側固定接点１２Ｂおよび１３Ｂに接触させ、それぞれ対となった固定接点１２Ａと１２Ｂの間および１３Ａと１３Ｂの間すなわち２組の接続用端子１２Ｃと１２Ｄの間および１３Ｃと１３Ｄの間をほぼ同時に接触する。
【００２５】
そして、操作ボタン１９および押ボタン２１を介してドーム状のばね体２０の押圧面２０Ｂに加えていた押し力を除くと、弾性絶縁材料からなるばね体２０の円錐形状のドーム部２０Ｃの弾性復元力によって元の図５の状態に復帰し、二組の固定接点１２Ａと１２Ｂの間および１３Ａと１３Ｂの間すなわち接続用端子１２Ｃと１２Ｄの間および１３Ｃと１３Ｄの間が再びオープン状態となることは実施の形態１の場合と同様である。
【００２６】
しかし、使用機器の操作ボタン１９に押された押ボタン２１が下方に下がる際には、その円柱状部２１Ｂの外周が蓋板１７の中央の円形孔１７Ｂにガイドされると共に、フランジ部２１Ａの外周も蓋板１７下部の周囲壁１７Ｃの内周にガイドされて下方に動くために、押ボタン２１は傾きなくほぼ垂直に下降し、その円柱状部２１Ｂ下面の平板部２１Ｃに押されるドーム形状のばね体２０の中央頂部２０Ａ上端の押圧面２０Ｂもほぼ垂直下方に押されるために、中央頂部２０Ａ下面に押される二つの弾性接点アーム１４Ｂおよび１５Ｂは二組の固定接点１２Ａと１２Ｂおよび１３Ａと１３Ｂの間を、実施の形態１の場合よりも正確に、同時に接続して二組のスイッチ回路をオンさせることができるものである。
【００２７】
また、図８は本実施の形態による２回路のプッシュオンスイッチの動作特性を更に安定化させる構成を示す正面断面図であり、上記の図５〜図７を用いて説明したものに対して、ドーム形状のばね体２２の中央頂部２２Ａとこの上に載せられたフランジ部２３Ａ付きの押ボタン２３が当接する面である、ばね体２２の押圧面２２Ｂの中央には円形の凸部２２Ｃが、押ボタン２３の下面の平板部２３Ｂの中央には円形の凹部２３Ｃがそれぞれ設けられ、この凸部２２Ｃと凹部２３Ｃが係合している点が異なっている。
【００２８】
そして、この凸部２２Ｃと凹部２３Ｃが係合していることによって、押ボタン２３の押圧用突部２３Ｄを押してばね体２２の中央頂部２２Ａ上端の押圧面２２Ｂを押し込んで、ドーム部２２Ｄを弾性変形させてスイッチ動作させる際に、押ボタン２３下面の平板部２３Ｂとばね体２２の押圧面２２Ｂの位置ズレを生じることがないので、押ボタン２３が垂直に下降すると、ばね体２２の中央頂部２２Ａも垂直下方に押されて、その下面で押される二つの弾性接点アーム１４Ｂおよび１５Ｂはそれぞれ確実に内側固定接点１２Ｂおよび１３Ｂに接触して、二組の固定接点１２Ａと１２Ｂの間および１３Ａと１３Ｂの間を、ほぼ同時に安定して接続させることができるものである。
【００２９】
（実施の形態３）
図９は本発明の第３の実施の形態による２回路のプッシュオンスイッチの正面断面図、図１０は同分解斜視図であり、上記実施の形態２によるものに対して、スイッチケース１１の内底面に装着されたドーム形状のばね体２０の中央頂部２０Ａ上端の押圧面２０Ｂの上に載せられた押ボタン２４の形状およびこれを保持する蓋板２５の孔部の形状が異なっている。
【００３０】
すなわち、押ボタン２４の上面中央の円柱状部２４Ａの上端から下端のフランジ部２４Ｂの位置まで一定巾の２ヶ所の第１突出部２４Ｃを有すると共に、フランジ部２４Ｂの外周に、上記第１突出部２４Ｃとは直角方向の２ヶ所に第２突出部２４Ｄを有している。
【００３１】
そして、上記の押ボタン２４を保持する蓋板２５の上面には、押ボタン２４の上面中央の円柱状部２４Ａおよび第１突出部２４Ｃが上下動可能で回転しないように嵌合保持されるように、円形に２ヶ所の切込みを設けた非円形孔２５Ａが設けられると共に、本実施の形態によるプッシュオンスイッチの上面図である図１１に一部点線で示すように、蓋板２５の周囲壁２５Ｂの内周には、押ボタン２４のフランジ部２４Ｂと第１突出部２４Ｃおよび第２突出部２４Ｄが上下動可能で回転しないように嵌合保持されるように、円形に４ヶ所の切込みを設けた非円形窪み２５Ｃが設けられている。
【００３２】
したがって、本実施の形態によるプッシュオンスイッチの動作時に、押ボタン２４の上端の押圧用突部２４Ｅを押されて押ボタン２４が下方に下がる際には、その円柱状部２４Ａおよび第１突出部２４Ｃが蓋板２５の上面中央の非円形孔２５Ａに回転しないようにガイドされると共に、フランジ部２４Ｂと第１突出部２４Ｃおよび第２突出部２４Ｄも蓋板２５の周囲壁２５Ｂ内周の非円形窪み２５Ｃに回転しないようにガイドされて下方に動くために、押ボタン２４は殆ど傾きなく垂直に下降し、その円柱状部２４Ａ下面の平板部２４Ｆに押されるドーム形状のばね体２０の中央頂部２０Ａ上端の押圧面２０Ｂもほぼ垂直下方に押されるために、その下面で押される二つの弾性接点アーム１４Ｂおよび１５Ｂは二組の固定接点１２Ａと１２Ｂおよび１３Ａと１３Ｂの間をより正確に同時に接続して、二組のスイッチ回路をほぼ同時にオンさせることができるものである。
【００３３】
そして、本実施の形態によるプッシュオンスイッチにおいても、実施の形態２で説明した様に、ドーム形状のばね体２０の中央頂部２０Ａ上端の押圧面２０Ｂとこの上に載せられる押ボタン２４の下面の平板部２４Ｆにそれぞれ凸部または凹部を設け、この凸部と凹部を係合させることによって、より安定した動作をするようにできることは勿論である。
【００３４】
（実施の形態４）
図１２は本発明の第４の実施の形態による２回路のプッシュオンスイッチの正面断面図であり、上記実施の形態２によるものに対して、スイッチケース２６とその上に載せられたドーム形状のばね体２７および押ボタン２８の形状が異なっている。
【００３５】
すなわち、スイッチケース２６の内底面の中央には上方に向けて円形の柱状部２６Ａが設けられ、ドーム形状のばね体２７の中央頂部２７Ａの中心には、この柱状部２６Ａが僅かな隙間を空けて貫通する円形貫通孔２７Ｂが設けられていると共に、その上端の押圧面２７Ｃの上に載せられた押ボタン２８下端のフランジ部２８Ａの下面中心にも、上記柱状部２６Ａの先端が僅かな隙間を空けて挿入される円形穴２８Ｂが設けられている。
【００３６】
したがって、この押ボタン２８は、フランジ部２８Ａの外周を蓋板１７の周囲壁１７Ｃの内周に少しの隙間を空けて嵌合保持されると共に、その中心の円形穴２８Ｂを柱状部２６Ａで支持されていることになる。
【００３７】
このため、本実施の形態によるプッシュオンスイッチの動作時において、押ボタン２８の上端の押圧用突部２８Ｃを押されて押ボタン２８が下方に下がる際には、その下端のフランジ部２８Ａの外周および中心の円形穴２８Ｂをガイドされるために、押ボタン２８は殆ど傾きなく下降し、そのフランジ部２８Ａの下面に押されるドーム形状のばね体２７の中央頂部２７Ａ上端の押圧面２７Ｃは垂直下方に押されると共に、その中心の円形貫通孔２７Ｂが柱状部２６Ａで位置決めおよびガイドされているため、中央頂部２７Ａの位置がズレを生じることもなく、その下面で押される二つの可動接点１４，１５の弾性接点アーム１４Ｂおよび１５Ｂは二組の固定接点１２Ａと１２Ｂおよび１３Ａと１３Ｂの間を確実にほぼ同時に接続して、二組のスイッチ回路をほぼ同時にオンさせることができるものである。
【００３８】
また、本実施の形態によるプッシュオンスイッチを組み立てる際には、スイッチケース２６の内底面の外側固定接点１２Ａ，１３Ａ上に二つの可動接点１４，１５の固定部１４Ａ，１５Ａを載置した上に、柱状部２６Ａをガイドとしてドーム形状のばね体２７および押ボタン２８を載せ、その上から蓋板１７を被せることによって組み立てることができるので、効率のよい組立作業ができると共に、自動組立化も容易である。
【００３９】
（実施の形態５）
図１３は本発明の第５の実施の形態による２回路のプッシュオンスイッチの要部である２個の可動接点を所定の位置関係に連結して形成する方法を説明する斜視図であり、同図において、２９は帯状の弾性金属薄板をプレス加工により連続的に打抜きおよび曲げ加工した可動接点フープであり、２個の可動接点３１，３２がプッシュオンスイッチに組み込まれた状態における位置関係となるように、その固定部３１Ａ，３２Ａを連結部３１Ｃ，３２Ｃによってつなぎ桟２９Ａに連結された可動接点ブロック３０が連続して形成されており、この各可動接点ブロック３０における２個の可動接点３１，３２の固定部３１Ａ，３２Ａの下面が露出するように、その端部をアウトサート成形等により弓形平板状の絶縁性樹脂３３で連結した後、各固定部３１Ａ，３２Ａをつなぎ桟２９Ａに連結している連結部３１Ｃ，３２Ｃを切り離すことによって、図１４（ａ）の斜視図に示す可動接点体３４として完成する。
【００４０】
そして、プッシュオンスイッチを組み立てる際には、図１４（ｂ）の斜視図に示す、実施の形態１〜３の場合と同様のスイッチケース１１内底面の外側固定接点１２Ａ，１２Ｂ上に可動接点３１，３２の固定部３１Ａ，３２Ａを載せ、略円形の突出部１１Ｂの二ヶ所の切欠部１１Ｃを可動接点３１，３２の弾性接点アーム３１Ｂ，３２Ｂがそれぞれ通るように上記の可動接点体３４を載置すれば、図１５の斜視図に示すように、可動接点３１および３２をスイッチケース１１の所定の位置に配設することができ、しかも載置後においてその位置は安定していてずれることがない。
【００４１】
この後、可動接点体３４の上部にドーム形状のばね体２０等を載せ、スイッチケース１１の上面開口部を蓋板１７で塞ぐこと、および本実施の形態によるプッシュオンスイッチの動作は、実施の形態１〜３と同様であるので、説明を省略する。
【００４２】
したがって本実施の形態によれば、２個の可動接点３１，３２をスイッチケース１１内の所定の位置に容易に確実に挿入・配置することができ、しかも配置後の位置が安定しているので、自動組立にも適しているものである。
【００４３】
なお、上記の実施の形態１〜５においては、プッシュオンスイッチの回路数が２回路である場合を例として説明したが、いずれも固定接点の数およびこれに対応する可動接点の数を増すことによって、より多くの回路数を有するプッシュオンスイッチを実現できることは言うまでもない。
【００４４】
【発明の効果】
以上のように本発明によれば、スイッチケース内底部の複数個の固定接点に対する複数個の可動接点の正確な位置決めができると共に、各可動接点の固定部を押さえ付けるドーム形状のばね体も正確に位置決めすることができ、簡単な構造で構成部品が少なく、組立工数もかからないため安価で、電気的特性の優れた複数の回路を有するプッシュオンスイッチを提供することができるという有利な効果が得られる。
【図面の簡単な説明】
【図１】本発明の第１の実施の形態による２回路のプッシュオンスイッチの正面断面図
【図２】同分解斜視図
【図３】同要部であるスイッチケースの上面図
【図４】同使用状態の正面断面図
【図５】本発明の第２の実施の形態による２回路のプッシュオンスイッチの正面断面図
【図６】同分解斜視図
【図７】同使用状態の正面断面図
【図８】同動作特性を更に安定化させる構成を示す正面断面図
【図９】本発明の第３の実施の形態による２回路のプッシュオンスイッチの正面断面図
【図１０】同分解斜視図
【図１１】同上面図
【図１２】本発明の第４の実施の形態による２回路のプッシュオンスイッチの正面断面図
【図１３】本発明の第５の実施の形態による２回路のプッシュオンスイッチの要部である２個の可動接点を所定の位置関係に連結して形成する方法を説明する斜視図
【図１４】（ａ）同可動接点体の外観斜視図
（ｂ）同スイッチケースの外観斜視図
【図１５】同可動接点体を載置したスイッチケースの外観斜視図
【図１６】従来のプッシュオンスイッチの正面断面図
【図１７】同分解斜視図
【符号の説明】
１１，２６  スイッチケース
１１Ａ  外周壁
１１Ｂ  突出部
１１Ｃ  切欠部
１１Ｄ  ダボ部
１２Ａ，１３Ａ  外側固定接点
１２Ｂ，１３Ｂ  内側固定接点
１２Ｃ，１２Ｄ，１３Ｃ，１３Ｄ  接続用端子
１４，１５，３１，３２  可動接点
１４Ａ，１５Ａ，３１Ａ，３２Ａ  固定部
１４Ｂ，１５Ｂ，３１Ｂ，３２Ｂ  弾性接点アーム
１６，２０，２２，２７  ばね体
１６Ａ  外周部
１６Ｂ，２０Ｃ，２２Ｄ  ドーム部
１６Ｃ，２０Ａ，２２Ａ，２７Ａ  中央頂部
１６Ｄ  押圧用突部
１７，２５  蓋板
１７Ａ  外周部下面
１７Ｂ  円形孔
１７Ｃ，２５Ｂ  周囲壁
１８  配線基板
１９  操作ボタン
２０Ｂ，２２Ｂ，２７Ｃ  押圧面
２１，２３，２４，２８  押ボタン
２１Ａ，２３Ａ，２４Ｂ，２８Ａ  フランジ部
２１Ｂ，２４Ａ  円柱状部
２１Ｃ，２３Ｂ，２４Ｆ  平板部
２１Ｄ，２３Ｄ，２４Ｅ，２８Ｃ  押圧用突部
２２Ｃ  凸部
２３Ｃ  凹部
２４Ｃ  第１突出部
２４Ｄ  第２突出部
２５Ａ  非円形孔
２５Ｃ  非円形窪み
２６Ａ  柱状部
２７Ｂ  円形貫通孔
２８Ｂ  円形穴
２９  可動接点フープ
２９Ａ  つなぎ桟
３０  可動接点ブロック
３１Ｃ，３２Ｃ  連結部
３３  絶縁性樹脂
３４  可動接点体
【図１】
0003944975.tif 000002
【図２】
0003944975.tif 000003
【図３】
0003944975.tif 000004
【図４】
0003944975.tif 000005
【図５】
0003944975.tif 000006
【図６】
0003944975.tif 000007
【図７】
0003944975.tif 000008
【図８】
0003944975.tif 000009
【図９】
0003944975.tif 000010
【図１０】
0003944975.tif 000011
【図１１】
0003944975.tif 000012
【図１２】
0003944975.tif 000013
【図１３】
0003944975.tif 000014
【図１４】
0003944975.tif 000015
【図１５】
0003944975.tif 000016
【図１６】
0003944975.tif 000017
【図１７】
0003944975.tif 000018